(57)【要約】【課題】加湿装置において、より高湿度で安定した空気を室内に供給することを目的とする。【解決手段】加湿フィルター保持具７は複数の円盤７ａと、この円盤７ａを保持する円盤中央保持具７ｂならびに円盤外周保持具７ｃによって構成され、この円盤外周保持具７ｃは円盤７ａの外周から所定距離を有するという構成とした。これにより、円盤中央保持具７ｂならびに円盤外周保持具７ｃが円盤７ａと所定距離を有しているため、加湿フィルター６の円周方向における全内面において送風空気が流通することが可能となるので、加湿フィルター６に付着した全水分を気化することができる。そのため、より高湿度の空気を室内に供給することができる。【選択図】図２
2010281518.tif 000002
【特許請求の範囲】
【請求項１】
吸込口と吹出口を連通し形成された送風流路に送風空気を流通させる送風手段を設けた本体と、この本体に設けた給水タンクから給水される水槽と、この水槽の溜水に常に下部を浸し水平軸を中心に回転可能に設けた中空円筒形状の加湿フィルターと、この加湿フィルターを保持する加湿フィルター保持具を有し、この加湿フィルター保持具は複数の円盤と、この円盤を保持する３本以上の円盤保持具によって構成され、この円盤保持具は円盤の外周から所定距離を有することを特徴とする加湿装置。
【請求項２】
前記円盤保持部は円盤中央保持具と２本以上の円盤外周保持具によって構成され、この円盤中央保持具を前記円盤の中央に配することを特徴とする請求項１記載の加湿装置。
【請求項３】
前記円盤外周保持具は前記円盤中央保持具に対して互いに対向した位置に配していることを特徴とする、請求項２記載の加湿装置。
【請求項４】
前記円盤中央保持具がコの字形状を有していることを特徴とする、請求項２または３記載の加湿装置。
【請求項５】
前記円盤外周保持具が平板形状を有しており、かつ前記円盤の円周方向に配していることを特徴とする、請求項２〜４のいずれかに記載の加湿装置。
【請求項６】
前記円盤外周保持具がＩ字形状を有していることを特徴とする、請求項２〜４のいずれかに記載の加湿装置。
【請求項７】
前記円盤外周保持具がＴ字形状を有していることを特徴とする、請求項２〜４のいずれかに記載の加湿装置。
【請求項８】
前記円盤中央保持具ならびに前記円盤外周保持具が、円柱形上もしくは円筒形状のいずれかを有していることを特徴とする、請求項２〜４のいずれかに記載の加湿装置。
【請求項９】
前記円盤保持具と、前記円盤は着脱可能であることを特徴とする、請求項１〜８のいずれかに記載の加湿装置。
【請求項１０】
前期加湿フィルター保持部はステンレスにて構成されていることを特徴とする、請求項１〜９のいずれかに記載の加湿装置。
【発明の詳細な説明】
【技術分野】
【０００１】
本発明は、水槽に一部を浸した加湿フィルターを回転するとともに、加湿フィルターに通風して加湿する気化式の加湿装置に関するものである。
【背景技術】
【０００２】
従来、この種の加湿装置の一例として、加湿フィルターを円筒形状とし回転させることで、加湿フィルターの全部位が溜水内に浸水することを特徴とする加湿装置が知られている。（例えば、特許文献１参照）。
【０００３】
この加湿装置は吸込口と吹出口を連通して形成される送風流路に送風空気を流通させる送風手段を設けた本体と、この本体に設けた給水タンクから給水される水槽と、水槽の溜水に常に一部を浸した状態に設けられた円筒形状の加湿フィルターとで構成されている。そして、加湿フィルターは加湿フィルター保持具に固定された状態で送風流路に保持され、駆動モーターによって加湿フィルター保持具を回転させることによって、加湿フィルターが水平方向を軸として回転するように構成されている。このような構成により、加湿フィルターが駆動モーターによって回転することで、加湿フィルターの全表面が溜水を通過することで水分を帯びた状態となる。そして、送風手段によって流通される送風空気が加湿フィルターを通過する際に、加湿フィルターに付着した水分を気化することで送風空気が高湿状態となり、吹出口より室内に放出されるものである。
【０００４】
そして、加湿フィルター保持具は、加湿フィルターが円筒形状を保たせる複数の円盤と、円盤を保持し保持する円盤保持具によって構成されており、円盤保持具は加湿フィルターに内接しているという構成となっている。
【先行技術文献】
【特許文献】
【０００５】
【特許文献１】特開２００６−２００７６２号公報（第４−５頁、第６図）
【発明の概要】
【発明が解決しようとする課題】
【０００６】
このような従来の加湿装置においては、円盤保持具が加湿フィルターに内接するという構成となっているので、送風空気が加湿フィルターの円盤保持具近傍を通過しないため、加湿フィルターにおける円盤保持具近傍部位に付着した水分を気化させることができず、その結果室内に供給する空気の湿度が低くなってしまうという課題を有していた。そこで本発明は、上記従来の課題を解決するものであり、加湿フィルターの全部位に付着した水分を確実に気化させることにより、より高湿度の空気を室内に供給できる加湿装置を提供することを目的とする。
【課題を解決するための手段】
【０００７】
そして、この目的を達成するために、本発明は、３本以上の円盤保持具を加湿フィルターから所定距離を有した位置に配したものであり、これにより所期の目的を達成するものである。
【発明の効果】
【０００８】
本発明によれば、３本以上の円盤保持具を加湿フィルターから所定距離を有した位置に配する構成にしたことにより、円盤保持具近傍の加湿フィルターを送風空気が流通することによって十分に気化させることができるので、加湿フィルターに付着した全水分を気化させることができ、その結果より高湿度の空気を室内に供給することができるという効果を得ることができる。
【図面の簡単な説明】
【０００９】
【図１】本発明の実施の形態１の加湿装置を示す概略図
【図２】本発明の実施の形態１の加湿装置を示す概略側面断面図
【図３】本発明の実施の形態１の加湿装置を示す概略正面断面図
【図４】本発明の実施の形態１の加湿フィルターの保持方法を示す概略図
【図５】本発明の実施の形態１の加湿フィルター保持具を示す概略図
【図６】本発明の実施の形態２の加湿フィルター保持具を示す概略図
【図７】本発明の実施の形態３の加湿フィルター保持具を示す概略図
【図８】本発明の実施の形態４の加湿フィルター保持具を示す概略図
【図９】本発明の実施の形態４の加湿フィルター保持具の分解方法を示す概略図
【発明を実施するための形態】
【００１０】
本発明の請求項１記載の加湿装置は、加湿フィルター保持具は複数の円盤とこの円盤を保持する３本以上の円盤保持具によって構成され、この円盤保持部は円盤の外周から所定距離を有するものである。これにより、円盤保持具近傍の加湿フィルターを送風空気が流通することによって十分に気化させることができるので、加湿フィルターに付着した全水分を気化させることができ、その結果より高湿度の空気を室内に供給することができるという効果を奏する。
【００１１】
また、円盤保持部は円盤中央保持具と２本以上の円盤外周保持具によって構成され、この円盤中央保持具は前記円盤の中央に配するという構成にしてもよい。これにより、円盤中央保持具は加湿フィルター保持具がいずれの角度になっても同一位置にあるので、加湿フィルターの回転を安定させるという効果を奏する。
【００１２】
また、前記円盤外周保持具は前記円盤中央保持具に対して互いに対向した位置に配しているという構成にしてもよい。これにより、加湿フィルター保持具がいずれの角度になっても、加湿フィルター保持具の重量バランスは保たれているので、加湿フィルターを安定した状態で回転させることができるという効果を奏する。
【００１３】
また、前記円盤中央保持具がコの字形状を有するという構成にしてもよい。これにより、加湿フィルター保持具のたわみ強度を確保できるため、加湿フィルターを安定して回転させることができるという効果を奏する。
【００１４】
また、前記円盤外周保持具が平板形状を有しており、かつ前記円盤の円周方向に配しているという構成にしてもよい。これにより、加湿フィルターのねじれ強度を確保することができるので、加湿フィルターの着脱を容易に行うことができる。
【００１５】
また、前記円盤外周保持具がＩ字形状を有しているという構成にしてもよい。これにより、円盤外周保持具の風路断面積を小さくすることができるので、加湿フィルターの圧力損失を低減することができ、その結果より多くの加湿空気を室内に供給することができるという効果を奏する。
【００１６】
また、前記円盤外周保持具がＴ字形状を有しているという構成にしてもよい。これにより、円盤外周保持具の風路断面積を小さくすることができ、さらに、送風空気が乱流になることなく円盤外周保持具近傍を通過するため、加湿フィルターの圧力損失をさらに低減することができ、その結果より多くの加湿空気を室内に供給することができるという効果を奏する。
【００１７】
また、前記円盤中央保持具ならびに前記円盤外周保持具が、円柱形上もしくは円筒形状のいずれかを有しているという構成にしてもよい。これにより、円盤中央保持具ならびに円盤外周保持具の風路断面積をより小さくすることができ、さらに、送風空気がより乱流になることなく円盤外周保持具近傍を通過するため、加湿フィルターの圧力損失をさらに低減することができるという効果を奏する。さらに、加湿フィルター保持具がいずれの角度になっても風路断面積がより均一になるため、送風空気の風量ならびに騒音に関する揺らぎを低減することができるという効果を奏する。
【００１８】
また、前記円盤保持具と、前記円盤は着脱可能であるという構成にしてもよい。これにより、円盤ならびに円盤保持具のメンテナンスをより容易か使う実に実施することができるため、より安定した加湿量を供給することができるという効果を奏する。
【００１９】
また、前期加湿フィルター保持部はステンレスにて構成されているという構成にしてもよい。これにより、より加湿フィルター保持具の風路断面積を小さくすることができるので、加湿フィルターの圧力損失を低減させることができ、その結果より多くの加湿空気を室内に供給することができるという効果を奏する。
【００２０】
以下、本発明の実施の形態について図面を参照しながら説明する。
【００２１】
（実施の形態１）
図１〜図３に示すように、吸込口１と吹出口２を連通して形成された送風流路３に送風空気を流通させる送風手段４を設けた本体と、本体に設けた給水タンクから給水される水槽５と、水槽５の溜水に下部を浸した状態で設けられた加湿フィルター６とで構成されている。そして、加湿フィルター６は加湿フィルター保持具７に固定された状態で送風流路３に保持され、回転モーター８によって加湿フィルター保持具７を回転させることによって、加湿フィルター６が水平方向を軸として回転するように構成されている。
【００２２】
ここで、送風手段４は、吹出口２側と加湿フィルター６側にそれぞれ吸入口と吐出口を有したファンケーシング４ａと、ファンケーシング４ａに収納される送風ファン４ｂと、この送風ファン４ｂに連結される送風モーター４ｃを具備しており、送風モーター４ｃの駆動によって送風ファン４ｂを回転させ、吸入口より空気を吸込んで吐出口より空気を排出するものである。
【００２３】
また、加湿フィルター６は、発泡ウレタン基材の表面にタルクとバインダーからなる溶液を含浸または塗布しており、水平軸を備えた加湿フィルター保持具７に装着されることで円筒形状を維持するとともに、水槽５の溜水に常に下部を浸しながら、加湿フィルター保持具７の水平軸を中心に回転可能に支持されている。なお、加湿フィルター６として、繊維によって格子状に形成された加湿フィルター外周面と内周面を複数の繊維によって連結することで形成されたものがあり、加湿フィルターに対して直行方向に送風空気が通過した場合、発泡ウレタンにて形成された加湿フィルターより圧力損失が低く、結果としてより多くの加湿空気を室内に供給することが可能となる。
【００２４】
また、図４に示すように、加湿フィルター保持具７は、加湿フィルター６を加湿フィルター保持具７に円筒形状で固定する複数の円盤７ａと、全ての円盤７ａを保持し円盤７ａの中央に配した円盤中央保持具７ｂと、すべての円盤７ａを保持し円盤７ａの外周より所定距離を有しかつ円盤中央保持具７ｂと対向した位置に配した円盤外周保持具７ｃと、回転モーター８の回転トルクを加湿フィルター保持具７ならびに加湿フィルター６へ伝達させる回転ギア７ｄとで構成されている。そして、図５に示すように、円盤中央保持具７ｂはコの字形状、円盤外周保持具７ｃは円盤７ａの接線方向に配した平板形状を有するものである。ここで、円盤７ａと円盤外周保持具７ｃの所定距離として、前記所定距離が広いほどより高湿度の加湿空気を室内に供給することができるが、加湿フィルター保持具７のねじれ方向の強度が低下してしまうため、外周からの距離は１０ｍｍ以上２０ｍｍ以下が望ましい。また、加湿フィルター保持具の材料としてＡＢＳやＰＯＭなどの樹脂が挙げられるが、ステンレスなどの金属を用いることで、より小さな風路断面積で樹脂と同等の強度を得ることができるので、加湿フィルター保持具７における圧力損失を低減させることができ、その結果より大量の湿度空気を室内に供給することが可能となる。
【００２５】
上記構成により、加湿フィルター６が回転モーター８によって回転することで、加湿フィルター６の全表面が溜水を通過することで水分を帯びた状態となる。そして、送風手段４によって吸込口１より送風流路３内へ流通される送風空気が加湿フィルター６を通過する際に、加湿フィルター６に付着した水分を気化することで送風空気が高湿状態となり、吹出口２より室内に供給されるものである。
【００２６】
ここで、円盤中央保持具７ｂならびに円盤外周保持具７ｃが円盤７ａと所定距離を有しているため、加湿フィルター６の円周方向における全内面において送風空気が流通することが可能となるので、加湿フィルター６に付着した全水分を気化することができる。そのため、より高湿度の空気を室内に供給することができる。
【００２７】
また、円盤中央保持具７ｂがコの字形状でかつ円盤７ａの中央に配しているため、加湿フィルター保持具７ならびに加湿フィルター６は上下方向にたわむことなく安定して送風流路３に備えられているので、加湿フィルター６を安定して回転させることができ、その結果安定した湿度空気を室内に供給することができる。
【００２８】
また、円盤外周保持具７ｃが円盤中央保持具７ｂに対して対向した位置に備えられているため、加湿フィルター保持具がいずれの角度になっても、加湿フィルター保持具の重量バランスは保たれているので、加湿フィルターを安定した状態で回転させることができる。
【００２９】
また、円盤外周保持具７ｃが平板形状でかつ円盤７ａの接線方向に備えられているため、加湿フィルター保持具７のねじり方向に対する強度を向上させることができ、その結果メンテナンスのため加湿フィルター６を着脱させる際、より確実に着脱させることが可能となる。
【００３０】
（実施の形態２）
図６に示すように、実施の形態２は実施の形態１に対して円盤外周保持具７ｃがＩ字形状を有しているものである。なお、実施の形態１と同様の構成を有するものについては、同一符号を付してその説明を省略する。上記構成によると、加湿フィルター保持具７のたわみ強度を保った状態で、円盤外周保持具７ｃの風路断面積が実施の形態１に対してより小さくすることが可能となるため、より大量の加湿空気を室内に供給することができる。
【００３１】
（実施の形態３）
図７に示すように、実施の形態３は実施の形態１に対して円盤外周保持具７ｃがＴ字形状を有しているものである。なお、実施の形態１と同様の構成を有するものについては、同一符号を付してその説明を省略する。上記構成によると、加湿フィルター保持具７のたわみ強度を保った状態で、円盤外周保持具７ｃの風路断面積が実施の形態１に対してより小さくすることが可能となるため、より大量の加湿空気を室内に供給することができる。さらに、円盤外周保持具７ｃ近傍を送風空気が流通する際、円盤外周保持具７ｃに沿って送風空気が流れるため、送風空気が乱流になるのを防ぐことができる。その結果、より大量の加湿空気をより安定して室内に供給することが可能となる。
【００３２】
（実施の形態４）
図８に示すように、実施の形態４は実施の形態１に対して円盤中央保持具７ｂならびに円盤外周保持具７ｃが円筒形状を有しているものである。なお、実施の形態１と同様の構成を有するものについては、同一符号を付してその説明を省略する。さらに、図９に示すように、円盤中央保持具７ｂならびに円盤外周保持具７ｃは円盤７ａに対して着脱可能な状態となっている。
【００３３】
上記構成によると、円盤中央保持具７ｂならびに円盤外周保持具７ｃが円筒形状を有していることから、加湿フィルター保持具７のたわみ強度ならびにねじり強度を保った状態で、円盤外周保持具７ｃの風路断面積が実施の形態１に対してより小さくすることが可能となるため、より大量の加湿空気を室内に供給することができる。
【００３４】
さらに、円筒形状であることから、加湿フィルター保持具７を送風空気が流通する際、円盤中央保持具７ｂならびに円盤外周保持具７ｃに沿って送風空気が流れるため、送風空気が乱流になるのを防ぐことができる。その結果、より大量の加湿空気をより安定して室内に供給することが可能となる。さらに、加湿フィルター保持具７がいずれであっても風路断面積が一定となるため、加湿フィルター保持具７における圧力損失が一定となり、その結果、送風空気量がより安定した状態で室内に供給することができる。
【産業上の利用可能性】
【００３５】
本発明にかかる加湿装置は、より高湿度で安定した空気を室内に供給することが可能となるので、一般家庭の室内だけでなく、業務用加湿装置、空気調和装置などに使用される加湿装置等として有用である。
【符号の説明】
【００３６】
１    吸込口
２    吹出口
３    送風流路
４    送風手段
４ａ  ファンケーシング
４ｂ  送風ファン
４ｃ  送風モーター
５    水槽
６    加湿フィルター
７    加湿フィルター保持具
７ａ  円盤
７ｂ  円盤中央保持具
７ｃ  円盤外周保持具
７ｄ  回転ギア
８    回転モーター
【図１】
2010281518.tif 000003
【図２】
2010281518.tif 000004
【図３】
2010281518.tif 000005
【図４】
2010281518.tif 000006
【図５】
2010281518.tif 000007
【図６】
2010281518.tif 000008
【図７】
2010281518.tif 000009
【図８】
2010281518.tif 000010
【図９】
2010281518.tif 000011